(57)【要約】【課題】システムの大型化及び設置費用の増加を抑制し、受入状態タンクから貯蔵状態タンクへの液化ガスの移送能力を向上することができる液化ガス移送システムを提供する。【解決手段】受入状態タンク２から貯蔵状態タンク３へ液化ガスＬの移送を行う移送路４を備え、移送路４に液化ガスＬの流通を遮断する移送路分離弁７が備えられ、制御手段８により、移送路分離弁７を開状態として、移送路分離弁７をまたぐ状態で形成される単一の移送系統で受入状態タンク２から貯蔵状態タンク３へ液化ガスＬを移送する非分離移送状態と、移送路分離弁７を閉状態として、移送路分離弁７をまたぐことなく形成される複数の移送系統のそれぞれに接続された受入状態タンク２及び貯蔵状態タンク３間での液化ガスＬの移送を別個に行う分離移送状態との間で、移送状態を選択可能に構成されている。【選択図】図１
2014169734.tif 000002
【特許請求の範囲】
【請求項１】
液化ガスを外部より受け入れる受入状態タンクと、
当該受入状態タンクから液化ガスを移送して貯蔵する貯蔵状態タンクと、
前記受入状態タンク及び前記貯蔵状態タンクと接続され、前記受入状態タンクから前記貯蔵状態タンクへ液化ガスの移送を行う移送路とを備えた液化ガス移送システムであって、
複数設けられる各受入状態タンク及び各貯蔵状態タンクは、前記移送路に液化ガスの流通を断続自在な断続手段を介して個別に接続され、
前記移送路に当該移送路内の液化ガスの流通を遮断する移送路分離弁が備えられるとともに、前記移送路分離弁で前記移送路が分離されて形成された複数の移送系統のそれぞれに前記受入状態タンク及び前記貯蔵状態タンクが接続され、
前記断続手段の切り替え及び前記移送路分離弁の開閉を行う制御手段を備え、
当該制御手段は、
前記移送路分離弁を開状態に維持するとともに、特定の受入状態タンク及び特定の貯蔵状態タンクに対してそれぞれ設けられる断続手段を開状態として、前記移送路分離弁をまたぐ状態で形成される単一の前記移送系統で受入状態タンクから貯蔵状態タンクへ液化ガスを移送する非分離移送状態と、
前記移送路分離弁を閉状態に維持するとともに、特定の受入状態タンク及び特定の貯蔵状態タンクに対してそれぞれ設けられる断続手段を開状態として、前記移送路分離弁をまたぐことなく形成される複数の前記移送系統のそれぞれに接続された受入状態タンク及び貯蔵状態タンク間での液化ガスの移送を別個に行う分離移送状態との間で、移送状態を選択可能に構成されている液化ガス移送システム。
【請求項２】
前記移送路としての第１移送路と、当該第１移送路とは別の第２移送路とが備えられ、
前記第１移送路に当該第１移送路内の液化ガスの流通を遮断する前記移送路分離弁としての第１移送路分離弁が備えられるとともに、当該第１移送路分離弁から前記第１移送路の一端側に延びる一端側第１移送路部位と他端側に延びる他端側第１移送路部位とを備え、前記一端側第１移送路部位と前記他端側第１移送路部位とのそれぞれに前記受入状態タンク及び前記貯蔵状態タンクが接続され、
前記制御手段は、
前記第１移送路分離弁を開状態に維持するとともに、特定二つの受入状態タンク及び特定二つの貯蔵状態タンクに対してそれぞれ設けられる断続手段を開状態として、前記第１移送路及び前記第２移送路を別個に介して、２系統で別個に受入状態タンクから貯蔵状態タンクへ液化ガスを移送する前記非分離移送状態としての２系統移送状態と、
前記第１移送路分離弁を閉状態に維持するとともに、特定三つの受入状態タンク及び特定三つの貯蔵状態タンクに対してそれぞれ設けられる断続手段を開状態として、前記第１移送路に関して、前記第１移送路分離弁に対して一端側に接続される受入状態タンク及び貯蔵状態タンク間での液化ガスの移送及び、他端側に接続される受入状態タンク及び貯蔵状態タンク間での液化ガスの移送を行うとともに、前記第２移送路を介する液化ガスの移送を別個に行う前記分離移送状態としての３系統移送状態との間で、移送状態を選択可能に構成されている請求項１に記載の液化ガス移送システム。
【請求項３】
前記第２移送路に、当該第２移送路内の液化ガスの流通を遮断する第２移送路分離弁が備えられるとともに、当該第２移送路分離弁から前記第２移送路の一端側に延びる一端側第２移送路部位と他端側に延びる他端側第２移送路部位とのそれぞれに前記受入状態タンク及び前記貯蔵状態タンクが接続され、
前記制御手段が、前記第２移送路分離弁の開閉制御も実行する請求項２に記載の液化ガス移送システム。
【請求項４】
前記移送路に、前記移送路分離弁とは別個に、当該移送路内の液化ガスの流通を遮断する移送路追加分離弁が備えられ、
当該移送路追加分離弁および前記移送路分離弁に挟まれた前記移送路の部位である中間移送路部位に前記受入状態タンク及び前記貯蔵状態タンクが接続され、
前記制御手段が、前記移送路追加分離弁の開閉制御を実行するとともに、前記中間移送路部位に接続される受入状態タンク及び貯蔵状態タンクに対する断続手段の断続制御を実行し、前記中間移送路部位を介する受入状態タンクから貯蔵状態タンクへの移送も行う請求項１から３の何れか１項に記載の液化ガス移送システム。
【発明の詳細な説明】
【技術分野】
【０００１】
本発明は、液化ガスを外部より受け入れる受入状態タンクと、当該受入状態タンクから液化ガスを移送して貯蔵する貯蔵状態タンクと、前記受入状態タンク及び前記貯蔵状態タンクと接続され、前記受入状態タンクから前記貯蔵状態タンクへ液化ガスの移送を行う移送路とを備えた液化ガス移送システムに関する。
【背景技術】
【０００２】
従来の液化ガス移送システムとして、例えば、下記の特許文献１には、液化ガス輸送タンカーから液化ガスを受入れて仮貯蔵する受入状態タンクと、受入状態タンクから払出される液化ガスを移送する移送路と、この移送路によって受入状態タンクから移送された液化ガスを貯蔵する貯蔵状態タンクとを備えた液化ガス移送システムが開示されている。この液化ガス移送システムでは、単一の移送路によって受入状態タンクと貯蔵状態タンクとが接続され、この移送路によって、受入状態タンクに仮貯蔵されている液化ガスが貯蔵状態タンクに移送されるように構成されている。
【先行技術文献】
【特許文献】
【０００３】
【特許文献１】特開２００１−２０８２９７号公報
【発明の概要】
【発明が解決しようとする課題】
【０００４】
しかしながら、上記特許文献１の液化ガス移送システムは、単一の移送路によって受入状態タンクから貯蔵状態タンクに液化ガスが移送されるので液化ガスの移送能力が低く、受入状態タンク内に仮貯蔵された液化ガスを貯蔵状態タンクへ移送して、受入状態タンクが液化ガスを受入可能な状態となるのに長い時間を要するという問題があった。ここで、移送能力とは、液化ガスの移送量をいうとともに、例えば、複数の受入状態タンクと貯蔵状態タンクとを備えた液化ガス移送システムでは、どの受入状態タンクからどの貯蔵状態タンクへ液化ガスを移送するかの移送先の選択性も意味する。
移送量に関しては、例えば、受入状態タンクが、液化ガス輸送タンカーによって輸送された液化ガスを桟橋において荷揚げするためのタンクとして使用されている場合、受入状態タンク内に液化ガスが仮貯蔵されていると、受入状態タンク内の液化ガスを貯蔵状態タンクへ移送して、受入状態タンクが液化ガスを受入可能な状態となるまで、桟橋に到着した液化ガス輸送タンカーは、長時間待機することを余儀なくされるという問題が発生する。
また、液化ガスの移送能力を向上させるために、液化ガス移送システムを複数設けることができるが、この場合では、液化ガス移送システムが大型化するとともにシステムの設置費用が増加する。
【０００５】
一方、移送先の選択性に関しては、現今、以下の問題が顕著となってきている。
即ち、液化天然ガス（ＬＮＧ）を採ってみると、その原産地が近年格段に多様化してきており、各産地からの液化天然ガスの性状（特に発熱量）及び受入量がばらつく傾向が著しい。このような状況で、受入状態タンクから貯蔵状態タンクへの液化ガスの移送を考えると、その移送系統及び移送先（貯蔵状態タンク）の選択性を増大させることが、従来以上に必要となっているが、このような課題に対して、単一の移送路を備えた液化ガス移送システムでは、その対応に限界がある。
【０００６】
本発明は、かかる点に着目してなされたものであり、システムの大型化及び設置費用の増加を抑制しつつ、受入状態タンクから貯蔵状態タンクへの液化ガスの移送能力を向上することができる液化ガス移送システムを提供することを目的とする。
【課題を解決するための手段】
【０００７】
上記目的を達成するための本発明に係る液化ガス移送システムは、
液化ガスを外部より受け入れる受入状態タンクと、
当該受入状態タンクから液化ガスを移送して貯蔵する貯蔵状態タンクと、
前記受入状態タンク及び前記貯蔵状態タンクと接続され、前記受入状態タンクから前記貯蔵状態タンクへ液化ガスの移送を行う移送路とを備えた液化ガス移送システムであって、その特徴構成は、
複数設けられる各受入状態タンク及び各貯蔵状態タンクは、前記移送路に液化ガスの流通を断続自在な断続手段を介して個別に接続され、
前記移送路に当該移送路内の液化ガスの流通を遮断する移送路分離弁が備えられるとともに、前記移送路分離弁で前記移送路が分離されて形成された複数の移送系統のそれぞれに前記受入状態タンク及び前記貯蔵状態タンクが接続され、
前記断続手段の切り替え及び前記移送路分離弁の開閉を行う制御手段を備え、
当該制御手段は、
前記移送路分離弁を開状態に維持するとともに、特定の受入状態タンク及び特定の貯蔵状態タンクに対してそれぞれ設けられる断続手段を開状態として、前記移送路分離弁をまたぐ状態で形成される単一の前記移送系統で受入状態タンクから貯蔵状態タンクへ液化ガスを移送する非分離移送状態と、
前記移送路分離弁を閉状態に維持するとともに、特定の受入状態タンク及び特定の貯蔵状態タンクに対してそれぞれ設けられる断続手段を開状態として、前記移送路分離弁をまたぐことなく形成される複数の前記移送系統のそれぞれに接続された受入状態タンク及び貯蔵状態タンク間での液化ガスの移送を別個に行う分離移送状態との間で、移送状態を選択可能に構成されている点にある。
【０００８】
この液化ガス移送システムにあっては、液化ガスの移送を行う移送路に移送路分離弁を備えることで、移送路を、単一の移送路、若しくは複数の移送路として使用することが可能となり、先に説明した移送能力を移送量及び移送先の選択性の点から大きく増大することができる。
さらに、詳細に説明すると、上記特徴構成によれば、移送路分離弁を開状態とすることで、特定の受入状態タンクから特定の貯蔵状態タンクに液化ガスを移送する単一の移送系統が移送分離弁をまたいで形成されるので、この単一の移送系統で受入状態タンクから貯蔵状態タンクへ液化ガスを移送する非分離移送状態とすることができる。
また、移送路分離弁を閉状態とすることで、移送路が移送路分離弁をまたぐことなく分離されて、複数の移送系統が形成されるので、それぞれの移送系統に接続されている受入状態タンクと貯蔵状態タンクとの間で液化ガスを移送することができる。つまり、移送路に形成された複数の移送系統によって液化ガスを同時に独立して移送する分離移送状態とすることができる。
【０００９】
よって、移送路に移送路分離弁を設けるだけで、移送路に複数の移送系統を形成することができるので、システムの大型化及び設置費用の増加を抑制しつつ、受入状態タンクから貯蔵状態タンクへの液化ガスの移送能力を向上させることができる。
【００１０】
本発明に係る液化ガス移送システムの更なる特徴構成は、
前記移送路としての第１移送路と、当該第１移送路とは別の第２移送路とが備えられ、
前記第１移送路に当該第１移送路内の液化ガスの流通を遮断する前記移送路分離弁としての第１移送路分離弁が備えられるとともに、当該第１移送路分離弁から前記第１移送路の一端側に延びる一端側第１移送路部位と他端側に延びる他端側第１移送路部位とを備え、前記一端側第１移送路部位と前記他端側第１移送路部位とのそれぞれに前記受入状態タンク及び前記貯蔵状態タンクが接続され、
前記制御手段は、
前記第１移送路分離弁を開状態に維持するとともに、特定二つの受入状態タンク及び特定二つの貯蔵状態タンクに対してそれぞれ設けられる断続手段を開状態として、前記第１移送路及び前記第２移送路を別個に介して、２系統で別個に受入状態タンクから貯蔵状態タンクへ液化ガスを移送する前記非分離移送状態としての２系統移送状態と、
前記第１移送路分離弁を閉状態に維持するとともに、特定三つの受入状態タンク及び特定三つの貯蔵状態タンクに対してそれぞれ設けられる断続手段を開状態として、前記第１移送路に関して、前記第１移送路分離弁に対して一端側に接続される受入状態タンク及び貯蔵状態タンク間での液化ガスの移送及び、他端側に接続される受入状態タンク及び貯蔵状態タンク間での液化ガスの移送を行うとともに、前記第２移送路を介する液化ガスの移送を別個に行う前記分離移送状態としての３系統移送状態との間で、移送状態を選択可能に構成されている点にある。
【００１１】
この液化ガス移送システムにあっては、移送路としての第１移送路と、第１移送路とは別個に構成された第２移送路とが液化ガスを移送するために備えられている。そして、この第１移送路及び第２移送路に受入状態タンク、貯蔵状態タンクが個々に断続自在とされるため、移送能力を、その移送量及び選択性の上で、大きく増大することができる。
さらに、詳細に説明すると、上記特徴構成によれば、第１移送路分離弁を開状態とすることで、第１移送路及び第２移送路を個別に介して、特定二つの受入状態タンクから特定二つの貯蔵状態タンクに液化ガスを移送する移送系統が、それぞれ１系統ずつ個別に形成できるので、同時に２系統の移送系統で液化ガスを独立して移送する２系統移送状態とすることができる。
また、第１移送路分離弁を閉状態とすることで、第１移送路を介する移送系統が、一端側第１移送路部位及び他端側第１移送路部位とを個別に介して、それぞれ１系統ずつ個別に形成できるので、２系統の移送系統を形成することができる。一方、第２移送路を介して少なくとも１系統の移送系統が形成される。よって、同時に３系統の移送系統で液化ガスを独立して移送する３系統移送状態とすることができる。
この３系統移送状態では、一端側第１移送路部位に接続されている所望の受入状態タンクと所望の貯蔵状態タンクとの間における液化ガスの移送と、他端側第１移送路部位に接続されている所望の受入状態タンクと所望の貯蔵状態タンクとの間における液化ガスの移送と、第２移送路を介する所望の受入状態タンクから所望の貯蔵状態タンクへの液化ガスの移送を行うことができる。
【００１２】
このように、複数の受入状態タンクと複数の貯蔵状態タンクとを、第１移送路と第２移送路と個別に接続して設けることで、受入状態タンクから貯蔵状態タンクへの液化ガスの移送能力を向上させることができる。
【００１３】
本発明に係る液化ガス移送システムの更なる特徴構成は、
前記第２移送路に、当該第２移送路内の液化ガスの流通を遮断する第２移送路分離弁が備えられるとともに、当該第２移送路分離弁から前記第２移送路の一端側に延びる一端側第２移送路部位と他端側に延びる他端側第２移送路部位とのそれぞれに前記受入状態タンク及び前記貯蔵状態タンクが接続され、
前記制御手段が、前記第２移送路分離弁の開閉制御も実行する点にある。
【００１４】
上記特徴構成によれば、第２移送路分離弁を閉状態とすることで、第２移送路を介する移送系統が、一端側第２移送路部位と他端側第２移送路部位とを介する状態で、それぞれ１系統ずつ形成されるので、２系統の移送系統を形成することができる。
つまり、第２移送路分離弁を閉状態とすることで、第１移送路を介して形成される移送系統に加え、一端側第２移送路部位に接続されている所望の受入状態タンクと所望の貯蔵状態タンクとの間における液化ガスの移送と、他端側第２移送路部位に接続されている所望の受入状態タンクと所望の貯蔵状態タンクとの間における液化ガスの移送とを同時に行うことができる。このように、第２移送路を介する２系統の移送系統を形成して、システムの大型化及び設置費用の増加を抑制しつつ、受入状態タンクから貯蔵状態タンクへの液化ガスの移送能力を向上させることができる。
【００１５】
本発明に係る液化ガス移送システムの更なる特徴構成は、
前記移送路に、前記移送路分離弁とは別個に、当該移送路内の液化ガスの流通を遮断する移送路追加分離弁が備えられ、
当該移送路追加分離弁および前記移送路分離弁に挟まれた前記移送路の部位である中間移送路部位に前記受入状態タンク及び前記貯蔵状態タンクが接続され、
前記制御手段が、前記移送路追加分離弁の開閉制御を実行するとともに、前記中間移送路部位に接続される受入状態タンク及び貯蔵状態タンクに対する断続手段の断続制御を実行し、前記中間移送路部位を介する受入状態タンクから貯蔵状態タンクへの移送も行う点にある。
【００１６】
上記特徴構成によれば、移送路分離弁および移送路追加分離弁を閉じることで、移送路を介する移送系統が、一端側第１移送路部位と他端側第１移送路部位と中間移送路部位とを介する状態で、それぞれ１系統ずつ形成されるので、移送路を介する３系統の移送系統を形成することができる。
つまり、一端側第１移送路部位に接続されている所望の受入状態タンクと所望の貯蔵状態タンクとの間における液化ガスの移送と、中間移送路部位に接続されている所望の受入状態タンクと所望の貯蔵状態タンクとの間における液化ガスの移送と、他端側第１移送路部位に接続されている所望の受入状態タンクと所望の貯蔵状態タンクとの間における液化ガスの移送を行うことができる。
【００１７】
一方、移送路分離弁および移送路追加分離弁の何れか一方を閉じることで、２系統の移送系統を形成することができる。例えば、移送路追加分離弁が移送路分離弁より移送路の他端側に設けられている場合では、移送路分離弁を閉じることで、中間移送路部位及び他端側第１移送路部位を介する１系統の移送系統を形成して、中間移送路部位及び他端側第１移送路部位に接続されている所望の受入状態タンクと所望の貯蔵状態タンクとの間における液化ガスの移送を行うとともに、一端側第１移送路部位を介する１系統の移送系統を形成して、一端側第１移送路部位に接続されている所望の受入状態タンクと所望の貯蔵状態タンクとの間における液化ガスの移送を行なうことができる。一方、移送路追加分離弁を閉じることで、中間移送路部位及び一端側第１移送路部位を介する１系統の移送系統を形成して、中間移送路部位及び一端側第１移送路部位に接続されている所望の受入状態タンクと所望の貯蔵状態タンクとの間における液化ガスの移送を行うとともに、他端側第１移送路部位を介する１系統の移送系統を形成し、他端側第１移送路部位に接続されている所望の受入状態タンクと所望の貯蔵状態タンクとの間における液化ガスの移送を行なうことができる。
【図面の簡単な説明】
【００１８】
【図１】第１実施形態に係る液化ガス移送システムの３系統移送状態を示す概略図
【図２】第１実施形態に係る液化ガス移送システムの２系統移送状態を示す概略図
【図３】第１実施形態における液化ガスの移送時間を示す図
【図４】第２実施形態に係る液化ガス移送システムの４系統移送状態を示す概略図
【図５】第２実施形態に係る液化ガス移送システムの３系統移送状態を示す概略図
【図６】第２実施形態に係る液化ガス移送システムの３系統移送状態を示す概略図
【図７】第２実施形態に係る液化ガス移送システムの２系統移送状態を示す概略図
【図８】第３実施形態に係る液化ガス移送システムの４系統移送状態を示す概略図
【図９】第３実施形態に係る液化ガス移送システムの３系統移送状態を示す概略図
【図１０】第３実施形態に係る液化ガス移送システムの３系統移送状態を示す概略図
【図１１】第３実施形態に係る液化ガス移送システムの２系統移送状態を示す概略図
【発明を実施するための形態】
【００１９】
以下、図１及び図２に基づいて本発明の液化ガス移送システムに係る第１実施形態について説明する。
第１実施形態に係る液化ガス移送システム１は、液化ガスＬを外部より受け入れる受入状態タンク２と、受入状態タンク２から液化ガスＬを移送して貯蔵する貯蔵状態タンク３と、受入状態タンク２及び貯蔵状態タンク３と接続され、受入状態タンク２から貯蔵状態タンク３へ液化ガスＬの移送を行う移送路としての第１移送路４と、この第１移送路４とは別の第２移送路５とで構成されている。
ここで、受入状態タンク２及び貯蔵状態タンク３は、それぞれ３つずつ設けられ、第１移送路４と第２移送路５とに液化ガスＬの流通を断続自在な断続手段６を介して個別に接続されている。
【００２０】
そして、第１移送路４に第１移送路４内の液化ガスＬの流通を遮断する移送路分離弁としての第１移送路分離弁７が備えられるとともに、第１移送路分離弁７から第１移送路４の一端側（図１中左側）に配設される一端側第１移送路部位１０と他端側（図１中右側）に配設される他端側第１移送路部位１１とのそれぞれに受入状態タンク２及び貯蔵状態タンク３が接続されている。本実施例では、一端側第１移送路部位１０に受入状態タンク２及び貯蔵状態タンク３がそれぞれ２つずつ接続されている。一方、他端側第１移送路部位１１に受入状態タンク２及び貯蔵状態タンク３がそれぞれ１つずつ接続されている。
また、第１移送路分離弁７の開閉及び断続手段６の断続状態の切り替えを行う制御手段８が備えられている。
【００２１】
以下、受入状態タンク２と貯蔵状態タンク３について説明する。
受入状態タンク２は、例えば、液化ガス輸送タンカーが到着する桟橋等に設けられ、液化ガス輸送タンカーによって輸送された液化ガスＬを荷揚げする際に受入れて仮貯蔵するタンクであり、液化ガスＬを受け入れる液化ガス受入口（図示せず）が設けられている。また、この受入状態タンク２は、第１移送路４と第１流出路２ａによって接続されるとともに、第２移送路５と第２流出路２ｂによって接続されている。また、第１流出路２ａ及び第２流出路２ｂのそれぞれには、移送ポンプ（図示せず）が設けられて、受入状態タンク２から液化ガスＬを第１移送路４及び第２移送路５に流出させることが可能に構成されている。そして、第１流出路２ａを開閉自在とする第１流出路断続弁２ｃと、第２流出路２ｂを開閉自在とする第２流出路断続弁２ｄとが設けられ、第１流出路２ａ及び第２流出路２ｂにおける液化ガスＬの流通が断続自在に構成されている。なお、液化ガスＬは、例えば、液化天然ガス（ＬＮＧ）で構成されている。
【００２２】
貯蔵状態タンク３は、受入状態タンク２において仮貯蔵された液化ガスＬを、受入状態タンク２から移送して貯蔵するタンクである。この貯蔵状態タンク３は、第１移送路４と第１流入路３ａによって接続されるとともに、第２移送路５と第２流入路３ｂによって接続されている。また、第１流入路３ａ及び第２流入路３ｂには、それぞれ第１流入路３ａを開閉自在とする第１流入路断続弁３ｃと、第２流入路３ｂを開閉自在とする第２流入路断続弁３ｄとが設けられ、第１流入路３ａ及び第２流入路３ｂにおける液化ガスＬの流通が断続自在に構成されている。
【００２３】
このように、第１流出路断続弁２ｃ、第２流出路断続弁２ｄ、第１流入路断続弁３ｃ、第２流入路断続弁３ｄとで断続手段６が構成されており、制御手段８によって断続が制御されている。
以下、この制御手段８の制御に関して図面を用いて説明するが、図面において、開状態にある弁を「白抜き」で記載し、閉状態にある弁を「黒塗り」で示している。さらに、液化ガスＬが移送される経路を受入状態タンク２から貯蔵状態タンク３まで「太線」で示している。図４〜図１１でも同じである。
【００２４】
制御手段８は、図２に示すように、第１移送路分離弁７を開状態に維持するとともに、特定二つの受入状態タンク２及び特定二つの貯蔵状態タンク３に対してそれぞれ設けられる所定の断続手段６を開状態として、前記第１移送路４及び前記第２移送路５を別個に介して、２系統で受入状態タンク２から貯蔵状態タンク３へ液化ガスＬを移送する非分離移送状態としての２系統移送状態と、
図１に示すように、第１移送路分離弁７を閉状態に維持するとともに、特定三つの受入状態タンク２及び特定三つの貯蔵状態タンク３に対してそれぞれ設けられる所定の断続手段６を開状態として、第１移送路４に関して、第１移送路分離弁７に対して一端側に接続される受入状態タンク２及び貯蔵状態タンク３間での液化ガスＬの移送及び、他端側に接続される受入状態タンク２及び貯蔵状態タンク３間での液化ガスＬの移送を行うとともに、第２移送路５を介する液化ガスＬの移送を別個に行う分離移送状態としての３系統移送状態との間で、移送状態を選択可能に構成されている。
【００２５】
つまり、３系統移送状態では、図１に示す一例のように、第１移送路分離弁７を閉状態として、一端側第１移送路部位１０に接続されているいずれか１つの受入状態タンク２の第１流出路断続弁２ｃを液化ガスＬが流通可能な開状態とする（他の第１流出路断続弁２ｃは閉）とともに、一端側第１移送路部位１０に接続されているいずれか１つの貯蔵状態タンク３の第１流入路断続弁３ｃを開状態として（他の第１流入路断続弁３ｃは閉）、一端側第１移送路部位１０を介する１系統の移送系統を形成することができる。
また、他端側第１移送路部位１１に接続されている受入状態タンク２の第１流出路断続弁２ｃを開状態とするとともに、他端側第１移送路部位１１に接続されている貯蔵状態タンク３の第１流入路断続弁３ｃを開状態として、他端側第１移送路部位１１を介する１系統の移送系統を形成することができる。
さらに、第２移送路５において、一端側第１移送路部位１０に接続されて、一端側第１移送路部位１０を介する移送系統を形成していない受入状態タンク２の第２流出路断続弁２ｄを開状態とする（他の第２流出路断続弁２ｄは閉）とともに、同じく一端側第１移送路部位１０に接続されて、一端側第１移送路部位１０を介する移送系統を形成していない貯蔵状態タンク３の第２流入路断続弁３ｄを開状態として（他の第２流入路断続弁３ｄは閉）、１系統の移送系統を形成することができる。
このように、第１移送路４及び第２移送路５を介して、同時に３系統の移送系統が形成され、この３系統の移送系統において液化ガスＬを独立して移送する３系統移送状態とすることができる。
【００２６】
なお、本実施例では、図１中の一端側第１移送路部位１０において右側に接続される受入状態タンク２と、同じく右側に接続される貯蔵状態タンク３との間で、第１移送路４を介する移送系統を形成したが、一端側第１移送路部位１０において右側に接続される受入状態タンク２と左側に接続される貯蔵状態タンク３との間で、一端側第１移送路部位１０を介する移送系統を形成してもよい。また、一端側第１移送路部位１０において左側に接続される受入状態タンク２と右側に接続される貯蔵状態タンク３との間で、一端側第１移送路部位１０を介する移送系統を形成してもよい。さらに、一端側第１移送路部位１０において左側に接続される受入状態タンク２と、同じく左側に接続される貯蔵状態タンク３とを接続して、第１移送路４を介する移送系統を形成してもよい。
【００２７】
また、２系統移送状態では、図２に示す一例のように、第１移送路分離弁７を開状態として、いずれか１つの受入状態タンク２の第１流出路断続弁２ｃを開状態とするとともに、いずれか１つの貯蔵状態タンク３の第１流入路断続弁３ｃを開状態として、第１移送路４を介する１系統の移送系統を形成することができる。さらに、第２移送路５においては、第１移送路４を介する移送系統を形成していない、いずれか１つの受入状態タンク２の第２流出路断続弁２ｄを開状態とするとともに、いずれか１つの貯蔵状態タンク３の第２流入路断続弁３ｄを開状態として、第２移送路５を介する１系統の移送系統を形成することができる。
このように、第１移送路４及び第２移送路５を介して、同時に２系統の移送系統が形成され、この２系統の移送系統において液化ガスＬを独立して移送する２系統移送状態とすることができる。
【００２８】
なお、本実施例では、図２中の第１移送路４において、中央に接続された受入状態タンク２と右側に接続された貯蔵状態タンク３との間で、第１移送路４を介する１系統の移送系統が形成されたが、第１移送路４において中央に接続された受入状態タンク２と、右側に接続された貯蔵状態タンク３又は中央に接続された貯蔵状態タンク３との間で、第１移送路４を介する１系統の移送系統を形成してもよい。また、右側に接続された受入状態タンク２又は左側に接続された受入状態タンク２と、いずれか一つの貯蔵状態タンク３との間で、第１移送路４を介する１系統の移送系統を形成してもよい。
【００２９】
図３に、図１に示した３系統移送状態及び図２に示した２系統移送状態の液化ガスＬの移送時間Ｔ２、Ｔ３を示す。図３の縦軸は、３つの受入状態タンク２内の合計の液化ガス残量Ｑを示しており、横軸は時間Ｔを示している。また、２系統移送状態による液化ガス残量Ｑを破線で示し、３系統移送状態による液化ガス残量Ｑを実線で示す。そして、液化ガス輸送タンカーからの受入状態タンク２への液化ガスＬの受入時間Ｔ１で示されている。この受入時間Ｔ１は、液化ガス輸送タンカーから、３つの受入状態タンク２に同時に液化ガスＬの受入を行う状態で、３つの受入状態タンク２内が空の状態である空状態から、液化ガスＬで満たされた状態である満状態となるまでの時間である。よって、２系統移送状態又は３系統移送状態に関わらず同じ長さの時間となる。また、２系統移送状態において液化ガスＬの移送に必要となる時間を移送時間Ｔ２で示し、３系統移送状態において液化ガスＬの移送に必要となる時間を移送時間Ｔ３で示す。
なお、図３に示された液化ガス残量Ｑと移送時間Ｔ２及び移送時間Ｔ３との関係は、３つの受入状態タンク２の容量が同じで、全ての移送系統における液化ガスＬの移送能力が同じに構成された液化ガス移送システム１における関係である。
【００３０】
２系統移送状態による液化ガスＬの移送では、図２に示すように、先に２つの受入状態タンク２内の液化ガスＬから、それぞれ別の貯蔵状態タンク３に２系統の移送系統によって移送して、その２つの受入状態タンク２内の液化ガスＬの移送が完了してから、残りの１つの受入状態タンク２内の液化ガスＬの貯蔵状態タンク３への移送が、１系統の移送系統によって、１系統移送状態として開始される。よって、液化ガス残量Ｑは図３において破線で示された変化を示し、２系統移送状態によって、３つの受入状態タンク２内の液化ガスＬを３つの貯蔵状態タンク３へ移送するために必要となる時間は、図３に示す移送時間Ｔ２となる。
一方、３系統移送状態による液化ガスＬの移送では、図１に示したように、３つの受入状態タンク２内の液化ガスＬから、それぞれ別の貯蔵状態タンク３に３系統の移送系統によって同時に移送することができる。よって、液化ガス残量Ｑは図３において実線で示された変化を示し、３系統移送状態によって、すべての受入状態タンク２内の液化ガスＬが貯蔵状態タンク３へ移送するために必要となる時間である移送時間Ｔ３は、２系統移送状態による移送時間Ｔ２に比べて短縮することができる。
【００３１】
〔第２実施形態〕
以下、本発明に係る液化ガス移送システムの第２実施形態を、図４〜７に基づいて説明する。この第２実施形態では、第１移送路４に第１移送路分離弁７に加え、移送路追加分離弁としての第１移送路追加分離弁２０が設けられている点で上述の第１実施形態と異なっている。
【００３２】
つまり、この第２実施形態に係る液化ガス移送システム１は、第１移送路４に、第１移送路分離弁７とは別個に、第１移送路４内の液化ガスＬの流通を遮断する第１移送路追加分離弁２０が備えられ、第１移送路追加分離弁２０および第１移送路分離弁７に挟まれた第１移送路４の部位である中間移送路部位としての中間第１移送路部位１２に受入状態タンク２及び貯蔵状態タンク３が接続されている。
また、制御手段８が、第１移送路追加分離弁２０の開閉制御を実行するとともに、中間第１移送路部位１２に接続される受入状態タンク２及び貯蔵状態タンク３に対する断続手段６の断続制御を実行し、中間第１移送路部位１２を介する受入状態タンク２から貯蔵状態タンク３への移送も行うように構成されている。
【００３３】
図４に示すように、制御手段８が、第１移送路分離弁７および第１移送路追加分離弁２０を閉じることで、第１移送路４を介する移送系統が、一端側第１移送路部位１０、他端側第１移送路部位１１、及び、中間第１移送路部位１２を介して、それぞれ１系統ずつ形成されるので、３系統の移送系統を形成することができる。
つまり、一端側第１移送路部位１０に接続されている受入状態タンク２と貯蔵状態タンク３との間における一端側第１移送路部位１０を介する液化ガスＬの移送と、中間第１移送路部位１２に接続されている受入状態タンク２と貯蔵状態タンク３との間における中間第１移送路部位１２を介する液化ガスＬの移送と、他端側第１移送路部位１１に接続されている受入状態タンク２と貯蔵状態タンク３との間における他端側第１移送路部位１１を介する液化ガスＬの移送とを、第１移送路４において別個且つ同時に行うことができる。さらに、第２移送路５において、第２移送路５を介する１系統の移送系統が形成されるので、同時に４系統の移送系統により液化ガスＬを移送する４系統移送状態とすることができる。よって、システムの大型化及び設置費用の増加を抑制しつつ、受入状態タンク２から貯蔵状態タンク３への液化ガスＬの移送能力を向上させることができる。
【００３４】
また、第１移送路分離弁７および第１移送路追加分離弁２０の何れか一方を閉状態とすることで、第１移送路４を介する２系統の移送系統を形成するとともに、第２移送路５を介する１系統の移送系統が形成して、３系統移送状態とすることができる。例えば、図５に示すように、第１移送路分離弁７のみを閉状態とすることで、中間第１移送路部位１２及び一端側第１移送路部位１０に接続されているいずれかの受入状態タンク２と貯蔵状態タンク３との間に移送系統を形成して、中間第１移送路部位１２及び一端側第１移送路部位１０を介する液化ガスＬの移送を行うとともに、他端側第１移送路部位１１に接続されている受入状態タンク２と貯蔵状態タンク３との間に移送系統を形成して、他端側第１移送路部位１１を介する液化ガスＬの移送を行なうことができる。
また、図６に示すように、第１移送路追加分離弁２０のみを閉状態とすることで、例えば、中間第１移送路部位１２及び他端側第１移送路部位１１に接続されているいずれかの受入状態タンク２と貯蔵状態タンク３との間に移送系統を形成して、中間第１移送路部位１２及び他端側第１移送路部位１１を介する液化ガスＬの移送を行うとともに、一端側第１移送路部位１０に接続されているいずれかの受入状態タンク２と貯蔵状態タンク３との間に移送系統を形成して液化ガスＬの移送を行うことができる。
一方、図７に示すように、第１移送路分離弁７および第１移送路追加分離弁２０の両方を開状態とすることで、第１移送路４を介する１系統の移送系統を形成するとともに、第２移送路５を介する１系統の移送系統を形成して、２系統移送状態とすることができる。
【００３５】
〔第３実施形態〕
以下、本発明に係る液化ガス移送システムの第３実施形態を、図８〜１１に基づいて説明する。この第３実施形態は、第１移送路４に第１移送路分離弁７が備えられている点では、上述の第１実施形態と共通であるが、第２移送路５に第２移送路分離弁３０が設けられている点で第１実施形態と異なっている。
【００３６】
つまり、この第３実施形態に係る液化ガス移送システム１は、第２移送路５に、第２移送路５内の液化ガスＬの流通を遮断する第２移送路分離弁３０が備えられるとともに、第２移送路分離弁３０から第２移送路５の一端側に延びる一端側第２移送路部位４０と他端側に延びる他端側第２移送路部位４１とのそれぞれに受入状態タンク２及び貯蔵状態タンク３が接続されている。また、制御手段８が、第２移送路分離弁３０の開閉制御も実行するように構成されている。
【００３７】
図８に示すように、制御手段８が、第１移送路分離弁７及び第２移送路分離弁３０を閉状態とすることで、第１移送路４において、一端側第１移送路部位１０を介する移送系統と他端側第１移送路部位１１を介する移送系統との２系統の移送系統が形成されるとともに、第２移送路５において、一端側第２移送路部位４０を介する移送系統と他端側第２移送路部位４１を介する移送系統との２系統の移送系統が形成することができ、同時に４系統の移送系統により液化ガスＬを移送する４系統移送状態とすることができる。
【００３８】
そして、図９に示すように、第１移送路分離弁７のみを閉状態とすることで、第１移送路４を介する２系統の移送系統を形成するとともに、第２移送路５を介する１系統の移送系統を形成して、３系統移送状態とすることができる。また、図１０に示すように、第２移送路分離弁３０のみを閉状態とすることで、第１移送路４を介する１系統の移送系統を形成するとともに、第２移送路５を介する２系統の移送系統を形成して、３系統移送状態とすることができる。
一方、図１１に示すように、第１移送路分離弁７および第２移送路分離弁３０の両方を開状態とすることで、第１移送路４を介する１系統の移送系統を形成するとともに、第２移送路５を介する１系統の移送系統を形成して、２系統移送状態とすることができる。
【００３９】
〔別実施形態〕
（Ａ）上記実施形態においては、第１流出路２ａ及び第２流出路２ｂのそれぞれに液化ガスＬを移送する移送ポンプを設けたが、これに限らず、第１移送路４及び第２移送路５における移送系統上に移送ポンプを設けてもよい。
【００４０】
（Ｂ）上記第１実施形態においては、一端側第１移送路部位１０に受入状態タンク２及び貯蔵状態タンク３がそれぞれ２つずつ設けられ、他端側第１移送路部位１１に受入状態タンク２及び貯蔵状態タンク３がそれぞれ１つずつ設けられたが、これに限らず、他端側第１移送路部位１１に受入状態タンク２及び貯蔵状態タンク３がそれぞれ２つずつ設けられ、一端側第１移送路部位１０に受入状態タンク２及び貯蔵状態タンク３がそれぞれ１つずつ設けられてもよい。
【００４１】
（Ｃ）上記第１実施形態においては、受入状態タンク２と貯蔵状態タンク３とがそれぞれ３つずつ設けられたが、これに限らず、受入状態タンク２及び貯蔵状態タンク３が４つ以上設けられてもよく、設けられた受入状態タンク２と貯蔵状態タンク３との数が異なっていてもよい。また、第１移送路４及び第２移送路５に分離弁を追加して設けてもよい。
【００４２】
（Ｄ）上記第２実施形態及び第３実施形態においては、受入状態タンク２と貯蔵状態タンク３とがそれぞれ４つずつ設けられたが、これに限らず、受入状態タンク２と貯蔵状態タンク３とがそれぞれ３つ又は５つ以上設けられてもよく、設けられた受入状態タンク２と貯蔵状態タンク３との数が異なっていてもよい。また、第１移送路４及び第２移送路５に分離弁を追加して設けてもよい。
【００４３】
（Ｅ）上記第３実施形態においては、第１移送路４に第１移送路分離弁７のみが設けられているが、これに加えて、第１移送路４に第１移送路追加分離弁２０が設けられていてもよい。この場合、上記第２実施形態で示される中間第１移送路部位１２に受入状態タンク２と貯蔵状態タンク３とが設けられた構成として、中間第１移送路部位１２を介する１系統の移送系統を追加形成することができる。よって、この中間第１移送路部位１２を介する１系統の移送系統と、例えば、図４に示す４系統の移送系統とをあわせることで、５系統の移送系統を形成し、それぞれの移送系統において独立に液化ガスＬを移送することが可能である。
【００４４】
（Ｆ）上記実施形態においては、図１、２及び図４〜１１において、図中上側に配置されたタンクを貯蔵状態タンク３として、図中下側に配置されたタンクを受入状態タンク２としたが、貯蔵状態タンク３と受入状態タンク２とは、断続手段６が設けられた液化ガスＬが流通可能な流出路又は流入路で第１移送路４及び第２移送路５に接続されている点、及び、液化ガスＬを貯留することが可能に構成されている点で同じタンクであるので、貯蔵状態タンク３及び受入状態タンク２として示したすべてのタンクは、貯蔵状態タンク３と受入状態タンク２とのどちらとしても機能するものである。これにより、タンク内の液化ガスＬの貯留状態を考慮して、所望のタンクを、液化ガスＬを受け入れる受入状態タンク２として使用することができるとともに、所望のタンクを、液化ガスＬを移送して貯蔵する貯蔵状態タンク３として使用することができる。
【００４５】
（Ｇ）上記実施形態においては、第１流出路２ａ及び第２流出路２ｂが、受入状態タンク２からそれぞれ独立して第１移送路４及び第２移送路５に接続されたが、これに限らず、受入状態タンク２に接続する単一の流出路を設け、この単一の流出路の第１移送路４側及び第２移送路５側において、第１流出路２ａ及び第２流出路２ｂが分離して形成されるとともに、第１流出路２ａ及び第２流出路２ｂが、それぞれ第１移送路４及び第２移送路５に接続されるように構成されてもよい。そして、単一の流出路には、単一の流出路内を流れる液化ガスＬを断続自在な合流路断続弁が設けられていてもよい。また、液化ガスＬを移送する移送ポンプが流出合流路に設けられていてもよい。
【００４６】
（Ｈ）上記実施形態においては、第１流入路３ａ及び第２流入路３ｂが、第１移送路４及び第２移送路５からそれぞれ独立して貯蔵状態タンク３に接続されたが、これに限らず、第１流入路３ａ及び第２流入路３ｂが貯蔵状態タンク３に接続する前に合流する流入合流路を設け、この流入合流路が貯蔵状態タンク３に接続されるように構成されてもよい。そして、流入合流路には、流入合流路を流れる液化ガスＬを断続自在な合流路断続弁が設けられていてもよい。また、液化ガスＬを移送する移送ポンプが流入合流路に設けられていてもよい。
【００４７】
（Ｉ）上記実施形態においては、液化ガスＬを移送するにあたり、第１移送路４と第２移送路５とが設けられたが、これに限らず、第２移送路５を設けず、移送路としての第１移送路４のみで構成されていてもよい。
この場合、制御手段８は、第１移送路分離弁７を開状態に維持するとともに、特定の受入状態タンク２及び特定の貯蔵状態タンク３に対してそれぞれ設けられる断続手段６を開状態として、第１移送路分離弁７をまたぐ状態で第１移送路４を介して、単一の移送系統で受入状態タンク２から貯蔵状態タンク３へ液化ガスＬを移送する非分離系統移送状態と、
第１移送路分離弁７を閉状態に維持するとともに、特定の受入状態タンク２と特定の貯蔵状態タンク３に対してそれぞれ設けられる断続手段６を開状態として、第１移送路分離弁７をまたぐことなく第１移送路４を介して、複数の移送系統のそれぞれに接続された受入状態タンク２及び貯蔵状態タンク３間での液化ガスＬの移送を別個に行う分離移送状態との間で、移送状態を選択可能に構成されていてもよい。
ここで、第１移送路４が単数で構成されていてもよく、複数で構成されていてもよい。例えば、第１移送路４が単数で構成されている場合であって、第１移送路４に第１移送路分離弁７が１つ設けられている時は、２つの移送系統を形成することができ、２つの受入状態タンク２から液化ガスＬを同時に２つの貯蔵状態タンク３に別個に移送することができるように構成してもよい。一方、例えば、第１移送路４が３本で構成されている場合であって、それぞれの第１移送路４に第１移送路分離弁７が１つ設けられている時は、６つの移送系統を形成することができ、６つの受入状態タンク２から液化ガスＬを同時に６つの貯蔵状態タンク３に別個に移送することができるように構成してもよい。
【００４８】
（Ｊ）上記実施形態においては、移送路として第１移送路４が単数設けられるとともに、第２移送路５が単数設けられたが、これに限らず、第１移送路４を複数設けてもよい。また、第２移送路５を複数設けてもよい。この場合、受入状態タンク２又は貯蔵状態タンク３は、第１移送路４及び第２移送路５のそれぞれに対し、液化ガスＬの流入路又は流出路で接続されていてもよい。
【産業上の利用可能性】
【００４９】
以上説明したように、システムの大型化及び設置費用の増加を抑制しつつ、受入状態タンクから貯蔵状態タンクへの液化ガスの移送能力を向上することができる液化ガス移送システムを提供することができる。
【符号の説明】
【００５０】
１      液化ガス移送システム
２      受入状態タンク
３      貯蔵状態タンク
４      第１移送路（移送路）
５      第２移送路
６      断続手段
７      第１移送路分離弁（移送路分離弁）
８      制御手段
１０    一端側第１移送路部位
１１    他端側第１移送路部位
１２    中間移送路部位
２０    移送路追加分離弁
３０    第２移送路分離弁
４０    一端側第２移送路部位
４１    他端側第２移送路部位
Ｌ      液化ガス
【図１】
2014169734.tif 000003
【図２】
2014169734.tif 000004
【図３】
2014169734.tif 000005
【図４】
2014169734.tif 000006
【図５】
2014169734.tif 000007
【図６】
2014169734.tif 000008
【図７】
2014169734.tif 000009
【図８】
2014169734.tif 000010
【図９】
2014169734.tif 000011
【図１０】
2014169734.tif 000012
【図１１】
2014169734.tif 000013